(57)【要約】【課題】  本発明は、各電力供給部が電力供給を開始するタイミングを制御することのできる電力供給装置、及びこれに用いるリモコン端末装置を提供すること。【解決手段】  外部電源から供給される電力の電子機器への供給／非供給を切替的に行う複数の電力供給部と、前記複数の電力供給部の電源投入の順番を表す順番指令をリモコン端末装置から受信するための受信部と、前記順番指令に応じて前記複数の電力供給部の電源を投入する電源投入処理部とを含む、電力供給装置。【選択図】図２
2011030339.tif 000002
【特許請求の範囲】
【請求項１】
外部電源から供給される電力の電子機器への供給／非供給を切替的に行う複数の電力供給部と、
前記複数の電力供給部の電源投入の順番を表す順番指令をリモコン端末装置から受信するための受信部と、
前記順番指令に応じて前記複数の電力供給部の電源を投入する電源投入処理部と
を含む、電力供給装置。
【請求項２】
前記順番指令は、前記電力供給部のＩＰアドレス又はＭＡＣアドレスを用いて特定される、請求項１に記載の電力供給装置。
【請求項３】
前記電力供給部は前記電子機器を接続するための複数の端子を有するとともに、前記順番指令には、前記複数の端子から電力供給を行う順番を表す端子順番指令を含んでおり、
前記電力供給部は、前記受信部で受信される前記順番指令に含まれる前記端子順番指令に応じて、前記複数の端子を介して前記電子機器への電力の供給／非供給を切替的に行う、請求項１又は２に記載の電力供給装置。
【請求項４】
前記受信部は、前記電力供給部に取り付けられる、請求項１乃至３のいずれか一項に記載の電力供給装置。
【請求項５】
前記受信部は、前記電力供給部に通信回線を通じて接続される、請求項１乃至３のいずれか一項に記載の電力供給装置。
【請求項６】
請求項１乃至５の電力供給装置に用いるリモコン端末装置。
【請求項７】
前記電力供給装置からＩＰアドレス又はＭＡＣアドレスを取得し、前記複数の電力供給部の電源投入の順番を表す順番指令を作成する制御部を含む、請求項６に記載のリモコン端末装置。
【発明の詳細な説明】
【技術分野】
【０００１】
本発明は、電子機器に電力を供給する電力供給装置、及びこれに用いるリモコン端末装置に関する。
【背景技術】
【０００２】
従来より、外部電源から供給される電力をＰＣ（Personal Computer）、サーバ、又はモニタ等の電子機器に分配する電力供給装置があった。このような従来の電力供給装置は、例えば、図１に示すように、外部電源１から電力供給を受ける電力供給部２１〜２ｎ（ｎは任意の整数）と、電力供給部２１〜２ｎにハブ３、インターネット等の通信回線４、及びハブ５を介して接続される遠隔操作用のＰＣ６とを含む。電力供給部２１〜２ｎとハブ３の間、及びハブ５とＰＣ６の間は、ＬＡＮ（Local Area Network）ケーブルによって接続されている。電力供給部２１〜２ｎは、例えば、ラックマウントシステムに搭載されている。
【０００３】
各電力供給部２１〜２ｎは、外部電源１から供給される電力を分配して出力するための複数のポート７を有しており、各ポート７には、電子機器８に含まれるＰＣ、サーバ、又はモニタ等の各々が接続されている。また、電力供給部２１〜２ｎは、各ポート７と外部電源１との間を接続／遮断するリレー等のような継電器を内蔵している。
【０００４】
操作者がＰＣ６に対して電力供給部２１〜２ｎ及びポート７を選択する入力処理を行うと、入力内容を表す制御指令がＰＣ６から通信回線４を経て電力供給部２１〜２ｎのうちの該当する電力供給部に入力され、制御指令によって特定されるポート７に接続される継電器が閉成される。これにより、ポート７からＰＣ、サーバ、又はモニタ等の電子機器８に電力供給が行われる（例えば、特許文献１、２、３参照）。
【先行技術文献】
【特許文献】
【０００５】
【特許文献１】特開平２−２７２９５４号公報
【特許文献２】特開平２−１８３６９３号公報
【特許文献３】特開平２−０９６４４４号公報
【発明の概要】
【発明が解決しようとする課題】
【０００６】
ところで、従来の電力供給装置では、各電力供給部２１〜２ｎが一斉に電力供給を開始すると、突入電流によって電力供給装置が供給可能な電力を超える場合があった。
【０００７】
電力供給部２１〜２ｎの各々において、各ポート７の継電器を接続するタイミングを遅延させてずらすことは可能であるが、電力供給部２１〜２ｎの各々が電力供給を開始するタイミングを制御することはできなかった。
【０００８】
そこで、本発明は、各電力供給部が電力供給を開始するタイミングを制御することのできる電力供給装置、及びこれに用いるリモコン端末装置を提供することを目的とする。
【課題を解決するための手段】
【０００９】
本発明の実施の形態の一観点の電力供給装置は、外部電源から供給される電力の電子機器への供給／非供給を切替的に行う複数の電力供給部と、前記複数の電力供給部の電源投入の順番を表す順番指令をリモコン端末装置から受信するための受信部と、前記順番指令に応じて前記複数の電力供給部の電源を投入する電源投入処理部とを含む。
【００１０】
また、前記順番指令は、前記電力供給部のＩＰアドレス又はＭＡＣアドレスを用いて特定されてもよい。
【００１１】
また、前記電力供給部は前記電子機器を接続するための複数の端子を有するとともに、前記順番指令には、前記複数の端子から電力供給を行う順番を表す端子順番指令を含んでおり、前記電力供給部は、前記受信部で受信される前記順番指令に含まれる前記端子順番指令に応じて、前記複数の端子を介して前記電子機器への電力の供給／非供給を切替的に行ってもよい。
【００１２】
また、前記受信部は、前記電力供給部に取り付けられてもよい。
【００１３】
また、前記受信部は、前記電力供給部に通信回線を通じて接続されてもよい。
【００１４】
本発明の実施の形態の一観点のリモコン端末装置は、前記いずれかの電力供給装置に用いられる。
【００１５】
また、リモコン端末装置は、前記電力供給装置からＩＰアドレス又はＭＡＣアドレスを取得し、前記複数の電力供給部の電源投入の順番を表す順番指令を作成する制御部を含んでもよい。
【発明の効果】
【００１６】
本発明は、各電力供給部が電力供給を開始するタイミングを制御することのできる電力供給装置、及びこれに用いるリモコン端末装置を提供できる。
【図面の簡単な説明】
【００１７】
【図１】従来の電力供給装置の構成の一例を示す図である。
【図２】実施の形態の電力供給装置１０の構成を示す図である。
【図３】実施の形態の電力供給部１１の構成を示す図である。
【図４】実施の形態の電力供給装置１０に用いるリモコン装置端末１００の構成を示す図であり、（Ａ）は正面図、（Ｂ）は内部構成を示すブロック図である。
【図５】実施の形態の電力供給装置１０に用いるリモコン端末装置１００の記憶部１１４に格納されるデータを示す図である。
【図６】実施の形態の電力供給部１１にリモコン端末装置１００を接続した状態を示す図である。
【図７】実施の形態の電力供給装置１０に用いるリモコン端末装置１００内における電源投入の順番を登録する処理を示すフローチャートである。
【図８】電力供給部１１が受信した順番指令に基づいて電源を投入する際の処理を示すフローチャートである。
【図９】ポート番号を受信した電力供給部１１が電源を投入する際の処理を示すフローチャートである。
【発明を実施するための形態】
【００１８】
以下、本発明の電力供給装置、及びこれに用いるリモコン端末装置を適用した実施の形態について説明する。
【００１９】
図２は、実施の形態の電力供給装置１０の構成を示す図である。
【００２０】
本実施の形態の電力供給装置１０は、電力供給部１１１〜１１ｎと、受信部の一形態としての通信部１２１〜１２ｎを含む。通信部１２１〜１２ｎは、電力供給部１１１〜１１ｎの各々に内蔵されている。ここで、ｎは任意の整数であり、電力供給部１１のユニット番号を表す。
【００２１】
以下、電力供給部１１１〜１１ｎの各々を区別しない場合には、電力供給部１１と称す。同様に、通信部１２１〜１２ｎの各々を区別しない場合には、通信部１２と称す。なお、図２には、電力供給部１１及び通信部１２をそれぞれ複数示すが、電力供給部１１及び通信部１２は、それぞれ、少なくとも１つあればよい。また、図２には通信部１２１〜１２ｎが電力供給部１１１〜１１ｎに内蔵されている形態を示すが、通信部１２１〜１２ｎは電力供給部１１１〜１１ｎの外部に取り付けられていてもよい。
【００２２】
電力供給部１１１〜１１ｎは、それぞれ、外部電源１から供給される電力を出力するためのポート１４を４つ含んでおり、各ポート１４にはＰＣ、サーバ、又はモニタ等の電子機器８が接続されている。電力供給部１１１〜１１ｎは、外部電源１から供給される電力の電子機器への供給／非供給を切替的に行う。なお、ポート１４の数は４つに限定されず、少なくとも１つあればよい。
【００２３】
通信部１２１〜１２ｎは、ＬＡＮケーブル１３Ａを介してハブ３に接続されており、インターネット等の通信回線４、ハブ５、及びＬＡＮケーブル１３Ｂを介してリモコン端末装置１００に接続されている。通信部１２１〜１２ｎは、電力供給部１１１〜１１ｎの電源投入の順番を表す順番指令をリモコン端末装置１００から受信し、電力供給部１１の内部処理部に入力するインターフェイス部である。電力供給部１１の内部処理部については、図３を用いて後述する。
【００２４】
リモコン端末装置１００は、本実施の形態の電力供給装置１０に順番指令を送信する。リモコン端末装置１００の詳細については、図４を用いて後述する。
【００２５】
図３は、実施の形態の電力供給部１１の構成を示す図である。図３に示すように、電力供給部１１は、外部電源１に接続される４つのリレー１５を含む。各リレー１５の出力側には、ポート１４が接続されている。電力供給部１１は、通信部１２、ポート１４、及びリレー１５に加えて、Ｉ／Ｏ（Input / Output）処理部１６、シリアルポート１７、制御部１８、及び記憶部１９を含む。
【００２６】
Ｉ／Ｏ処理部１６は、制御部１８から入力される順番指令に基づき、リレー１５のオン／オフを切り替える処理を行う処理部である。
【００２７】
シリアルポート１７は、電力供給部１１の順番をリモコン端末装置１００に登録する際にＩＰアドレス及びＭＡＣアドレスを送信するために、電力供給部１１にリモコン端末装置１００を接続する際に用いるポートである。リモコン端末装置１００は、例えばＲＳ２３２Ｃ等のシリアル通信用のケーブルを介して電力供給部１１に接続される。
【００２８】
制御部１８は、電力供給部１１の駆動に必要な制御処理を行う主制御部であり、例えば、ＣＰＵ（Central Processing Unit）によって構成される。制御部１８は、少なくとも、通信部１２を介してリモコン端末装置１００から入力される順番指令に基づき、順番指令に該当する他の電力供給部１１に電源を投入させるための電源投入指令を送信する処理を行う。
【００２９】
なお、制御部１８は、通信部１２及びＩ／Ｏ処理部１６とともに１つのＣＰＵで構成されてもよい。
【００３０】
記憶部１９は、電力供給部１１の駆動に必要なデータを格納するメモリであり、例えば、不揮発性メモリで構成される。記憶部１９には、少なくとも、電力供給部１１（１１１〜１１ｎのうちのいずれであるか）を特定するためのＩＰ（Internet Protocol）アドレス及びＭＡＣ（Media Access Control）アドレスと、４つのリレー１５を接続する順番を表す端子順番指令とが格納される。
【００３１】
図４は、実施の形態の電力供給装置１０に用いるリモコン装置端末１００の構成を示す図であり、（Ａ）は正面図、（Ｂ）は内部構成を示すブロック図である。
【００３２】
図４（Ａ）に示すように、リモコン端末装置１００は、筐体１０１、登録ボタン１０４、全電源ＯＮボタン１０５、液晶表示部１０６、及びシリアルポート１０７を有する。
【００３３】
筐体１０１は、直方体状の樹脂製の内部が空洞の筐体であり、順番選択ボタン１０２、ポート選択ボタン１０３、登録ボタン１０４、全電源ＯＮボタン１０５、液晶表示部１０６、及びシリアルポート１０７を表出させて保持している。
【００３４】
順番選択ボタン１０２は、リモコン装置端末１００に電力供給部１１の電源投入の順番を登録する際に、登録する順番を操作者が選択する際に押すためのボタンである。
【００３５】
ポート選択ボタン１０３は、ポート１４のポート番号を選択する際に、操作者が押すためのボタンである。ポート選択ボタン１０３を押す度に、ポート番号（１〜４）を順番に切り替えることができる。
【００３６】
登録ボタン１０４は、順番選択ボタン１０２で選択した順番を登録する際、又は、ポート選択ボタン１０３で選択したポート１４を登録するために操作者が押すためのボタンである。順番選択ボタン１０２で選択された順番は、登録ボタン１０４が押されることによって確定する。
【００３７】
全電源ＯＮボタン１０５は、リモコン装置端末１００から電力供給部１１に順番指令を送信する際に操作者が押すためのボタンである。
【００３８】
液晶表示部１０６は、電力供給部１１の順番、ＩＰアドレス、ＭＡＣアドレス、及びポート番号等を表示するための表示部である。
【００３９】
シリアルポート１０７は、電力供給部１１の順番を登録する際にＩＰアドレス及びＭＡＣアドレスを取得するために、リモコン端末装置１００を電力供給部１１に接続する際に用いるポートである。
【００４０】
図４（Ｂ）に示すように、リモコン端末装置１００は、Ｉ／Ｏ処理部１１１、制御部１１２、通信部１１３、及び記憶部１１４を内蔵する。
【００４１】
Ｉ／Ｏ処理部１１１は、少なくとも、登録ボタン１０４及び全電源ＯＮボタン１０５が押圧された場合に、押圧があった旨を表す指令を制御部１１２に入力する処理、制御部１１２から表示内容を表す指令が送られた際に液晶表示部１０６に表示する処理、及びシリアルポート１０７からＩＰアドレス及びＭＡＣアドレスが入力された場合に、制御部１１２に入力する処理を行う。
【００４２】
制御部１１２は、登録ボタン１０４及び全電源ＯＮボタン１０５になされた入力操作に応じた指令の生成・出力処理、液晶表示部１０６に表示する表示内容を生成等する処理、及び、シリアルポート１０７から入力されたＩＰアドレス及びＭＡＣアドレスを記憶部１１４に格納する処理を行う。制御部１１２は、例えば、ＣＰＵで構成される。
【００４３】
通信部１１３は、制御部１１２が生成した順番指令を出力し、ハブ５、通信回線４、及びハブ３を介して電力供給部１１に伝送するインターフェイス部である。
【００４４】
記憶部１１４は、電力供給部１１１〜１１ｎのＩＰアドレス、ＭＡＣアドレス、及びポート番号を表すデータを順番付けて格納するメモリであり、例えば、不揮発性メモリで構成される。
【００４５】
なお、Ｉ／Ｏ処理部１１１、制御部１１２、及び通信部１１３が一つのＣＰＵで構成されてもよい。
【００４６】
図５は、実施の形態の電力供給装置１０に用いるリモコン端末装置１００の記憶部１１４に格納されるデータの一例を示す図である。図５には、一例として電力供給装置１１１、１１ｋ、１１ｎのＩＰアドレス、ＭＡＣアドレス、及びポート番号を示す。なお、ｋは１＜ｋ＜ｎを満たす整数である。
【００４７】
電力供給部１１１〜１１ｎのＩＰアドレス及びＭＡＣアドレスは、電力供給部１１１〜１１ｎの各々について割り振られている。このため、リモコン端末装置１００の記憶部１１４には、図５に示すようにＩＰアドレス、ＭＡＣアドレス、及びポート番号に関連付けられるとともに電源投入の順番に並べられてデータベースとして格納されている。
【００４８】
ＩＰアドレス及びＭＡＣアドレスは、電力供給部１１１〜１１ｎからある一つの電力供給部１１を特定するために用いられるデータである。ポート番号を表すデータは、電力供給部１１の４つのポート１４の各々をオンするための制御に用いられるデータである。
【００４９】
ＩＰアドレス、ＭＡＣアドレス、及びポート番号を表すデータは、順番指令を表し、ポート番号を表すデータは端子順番指令を表す。端子順番指令は、順番指令に含まれる。
【００５０】
図６は、実施の形態の電力供給部１１にリモコン端末装置１００を接続した状態を示す図である。図６に示すように、リモコン端末装置１００を電力供給部１１１に接続した状態で、リモコン端末装置１００は電力供給部１１１のＩＰアドレス及びＭＡＣアドレスを取得する。ここで、リモコン端末装置１００と電力供給部１１１は、シリアルポート１０７（図４（Ｂ）参照）とシリアルポート１７（図３参照）を例えばＲＳ２３２Ｃ等のシリアル通信用のケーブルで接続すればよい。
【００５１】
リモコン端末装置１００は、電力供給部１１１〜１１ｎのうち、電源投入の順番を登録したい電力供給部１１に接続した状態で、電力供給部１１から取得し、電源を投入したい順番にＩＰアドレス及びＭＡＣアドレスを並べて登録する。また、この際に、電力供給部１１の順番の登録に加えて、ポート１４の順番を登録する。これらを登録することにより、図５に示すデータが得られる。
【００５２】
図７は、実施の形態の電力供給装置１０に用いるリモコン端末装置１００内における電源投入の順番を登録する処理を示すフローチャートである。この処理は、リモコン端末装置１００内の制御部１１２によって実行される。
【００５３】
リモコン端末装置１００が電力供給部１１に接続されると処理が開始される。
【００５４】
制御部１１２は、電力供給部１１からＩＰアドレス及びＭＡＣアドレスを取得したか否かを判定する（ステップＳ１）。ステップＳ１の処理は、ＩＰアドレス及びＭＡＣアドレスの取得が確認されるまで繰り返し実行される。
【００５５】
制御部１１２は、電力供給部１１からＩＰアドレス及びＭＡＣアドレスを取得した場合は、ポート選択ボタン１０３が押されてポート番号が指定されたか否かを判定する（ステップＳ２）。
【００５６】
制御部１１２は、ポート番号が指定された場合は、順番が選択されたか否かを判定する（ステップＳ３）。順番の選択は、リモコン端末装置１００の順番選択ボタン１０２（図４（Ａ）参照）が押されることによって行われる。
【００５７】
制御部１１２は、順番が選択された場合は、順番登録ボタン１０４が押されて順番が確定されたか否かを判定する（ステップＳ４）。
【００５８】
制御部１１２は、順番が確定された場合は、ＩＰアドレス、ＭＡＣアドレス、及びポート番号を順番と関連付けて記憶部１１４に格納する（ステップＳ５）。
【００５９】
制御部１１２は、ＩＰアドレス、ＭＡＣアドレス、及びポート番号を順番と関連付けて記憶部１１４に格納すると、他のポート１４の登録が行われるか否か（終了かどうか）を判定する（ステップＳ６）。
【００６０】
制御部１１２は、他のポート１４の登録が行われずに終了と判断した場合は、一連の処理を終了する。
【００６１】
また、制御部１１２は、ステップＳ１〜Ｓ４、又はＳ６において、Ｎｏと判定した場合は、フローをステップＳ１にリターンする。
【００６２】
以上により、制御部１１２による処理が終了し、図５に示すデータベースが完成する。
【００６３】
次に、リモコン端末装置１００から電力供給部１１に送信される順番指令に基づき、電源が投入される場合の処理について説明する。
【００６４】
図８は、電力供給部１１が受信した順番指令に基づいて電源を投入する際の処理を示すフローチャートである。
【００６５】
ここでは、リモコン端末装置１００は、図２に示すようにＬＡＮケーブル１３Ｂを介してハブ５に接続されており、電力供給部１１１に順番指令が送信され、電力供給部１１１の制御部１８が図８に示す処理を実行する場合について説明する。
【００６６】
制御部１８は、順番指令を受信すると、記憶部１９に順番指令を格納する（ステップＳ１０）。
【００６７】
制御部１８は、記憶部１９に格納した順番指令を順番に従って順次読み出し、ＩＰアドレス及びＭＡＣアドレスで特定される電源供給部１１（１１１〜１１ｎのいずれか）にポート番号を表すデータ（端子順番指令）を送信する（ステップＳ１１）。なお、ＩＰアドレス及びＭＡＣアドレスで電源供給部１１１を表す場合は、制御部１８は、ポート番号に対応するリレー１５を接続する。
【００６８】
制御部１８は、次の順番のデータがあるか否かを確認する（ステップＳ１２）。次のデータがあれば、制御部１８はステップＳ１１の処理を繰り返し実行する。次のデータがない場合は、制御部１８は処理を終了する。
【００６９】
以上のステップＳ１０乃至Ｓ１２の処理により、リモコン端末装置１００内で作成されたデータベース（図５参照）に登録された順番の通りに、電源供給部１１（１１１〜１１ｎのいずれか）にポート番号を表すデータが送信される。
【００７０】
図９は、ポート番号を受信した電力供給部１１が電源を投入する際の処理を示すフローチャートである。この処理は、ポート番号を受信した電力供給部１１内の制御部１８によって実行される。
【００７１】
制御部１８は、ポート番号を受信すると（ステップＳ２０）、ポート番号のポート１４に対応するリレー１５を接続する（ステップＳ２１）。
【００７２】
制御部１８は、送信された最後のポート番号であるか否かを判定し（ステップＳ２２）、最後のポート番号であれば処理を終了し、まだ他に受信したポート番号があればフローをステップＳ２１にリターンする。
【００７３】
これにより、電力供給部１１に含まれる４つのポートから順次電力が供給される。
【００７４】
以上、本実施の形態の電力供給装置１０によれば、図７に示す処理により、リモコン端末装置１００で電力供給部１１の電源投入の順番を簡単に登録することができる。また、電力供給部１１の電源投入の順番を登録することにより、順番指令を生成するためのデータベース（図５参照）を作成することができる。
【００７５】
また、本実施の形態の電力供給装置１０によれば、図８及び図９に示す処理により、データベース（図５参照）に登録された順番通りに、電源供給部１１（１１１〜１１ｎのいずれか）のポート１４から電力を電子機器（図２参照）に供給することができる。
【００７６】
このため、各電力供給部１１１〜１１ｎが一斉に電力供給を開始することはなく、さらに、各１１１〜１１ｎ内の各ポート１４が電力供給を開始するタイミングをずらすこともできるので、突入電流の発生を抑制し、安定的に電力を供給できる電力供給装置を提供することができる。
【００７７】
従来は、複数ある電力供給部が電力供給を開始するタイミングの設定や制御はできなかったが、本実施の形態の電力供給装置１０によれば、リモコン端末装置１００を各電力供給部１１１〜１１ｎに接続するだけで電力供給部１１１〜１１ｎの各々が電力供給を開始するタイミングを容易に設定することができる。また、その際に、電力供給部１１１〜１１ｎ内のポート１４から電力を供給する順番も設定することができるので、より安定的に電力を供給することができる。
【００７８】
なお、以上では、電力供給部１１１〜１１ｎの順番に加えて、電力供給部１１１〜１１ｎの各々に含まれるポート１４から電力供給を行う順番も登録する形態について説明したが、ポート１４から電力供給を行う順番は、必ずしも登録する必要はない。取り扱う電力に応じて、各ポート１４で同時に電力供給を開始してもよく、又は、予め決められた順に各ポート１４から電力供給を行うようにしてもよい。
【００７９】
また、以上では、リモコン端末装置１００をＬＡＮケーブル１３Ｂに接続し、インターネット等の通信回線４を介して電力供給部１１１〜１１ｎに接続した状態で順番指令を送信する形態について説明したが、リモコン端末装置１００のシリアルポート１０７（図４（Ａ）参照）をシリアル通信用のケーブル（図示せず）を介して電力供給部１１のシリアルポート１７（図３参照）に接続した状態で順番指令をリモコン端末装置１００から電力供給部１１に送信するようにしてもよい。
【００８０】
本実施の形態の電力供給装置１０は、ＰＣを用いなくても電力供給の順番を設定し、電力供給を開始できるので、従来の電力供給装置（図１参照）のようにＰＣを介して電力供給を開始する場合に比べて、起動時間の間、待機する必要はなく、いつでも電力供給の順番設定及び電力供給の開始を行うことができる。
【００８１】
また、本実施の形態の電力供給装置１０は、図１に示す従来の電力供給装置と同様に、ＰＣ６を含んでもよい。この場合において、リモコン端末装置１００をＰＣ６に接続し、順番指令を表すデータベースをＰＣ６のメモリ等に格納させ、ＰＣ６に電力供給部の電力供給を順番に従って行わせてもよい。
【００８２】
また、以上では、ＩＰアドレスとＭＡＣアドレスの両方を用いて電力供給装置１１を特定する形態について説明したが、いずれか一方で特定できる場合は、必ずしも両方用いなくてもよい。
【００８３】
なお、以上では、ＬＡＮケーブル１３Ｂに接続したリモコン端末装置１００から順番指令を電力供給部１１に送信する電力供給装置１０について説明したが、ＬＡＮケーブル１３Ｂの代わりに、無線ＬＡＮを用いて、各々の電力供給部１１とリモコン端末装置１００との間で順番指令を送信するように構成してもよい。
【００８４】
また、無線ＬＡＮの代わりに、赤外線通信を用いてリモコン端末装置１００と電力供給部１１との間で順番指令を送信するように構成してもよい。
【００８５】
以上、本発明の例示的な実施の形態の電力供給装置、及びこれに用いるリモコン端末装置について説明したが、本発明は、具体的に開示された実施の形態に限定されるものではなく、特許請求の範囲から逸脱することなく、種々の変形や変更が可能である。
【符号の説明】
【００８６】
３、５  ハブ
４  通信回線
１０  電力供給装置
１１、１１１〜１１ｎ  電力供給部
１２、１２１〜１２ｎ  通信部
１３Ａ、１３Ｂ  ＬＡＮケーブル
１４  ポート
１５  リレー
１６  Ｉ／Ｏ処理部
１７  シリアルポート
１８  制御部
１９  記憶部
１００  リモコン端末装置
１０１  筐体
１１１  Ｉ／Ｏ処理部
１１２  制御部
１１３  通信部
１１４  記憶部
【図１】
2011030339.tif 000003
【図２】
2011030339.tif 000004
【図３】
2011030339.tif 000005
【図４】
2011030339.tif 000006
【図５】
2011030339.tif 000007
【図６】
2011030339.tif 000008
【図７】
2011030339.tif 000009
【図８】
2011030339.tif 000010
【図９】
2011030339.tif 000011